(57)【要約】【課題】循環する浴水に対し効能を付与する効果を高めた浴水循環装置を提供する。【解決手段】浴水循環装置は浴水吸水口が形成されている吸上柱１３及び該吸上柱１３を下部に備えてなり浴水吸水口と連通される浴水吐出口１２ａを設けてなる循環装置本体１２から構成され、吸上柱１３に吸上モータを備えてなる。浴水が通水する浴水循環装置内の通水経路上に濾材を収容する濾材収容部１２ｈ及び入浴用組成物を充填する充填部１２ｊを設けた。【選択図】      図８
2006087622.tif 000002
【特許請求の範囲】
【請求項１】
浴水を吸水する吸水口が形成されている吸水柱及び該吸水柱を下部に備えてなり前記吸水口と通水路を介し連通される吐出口を設けてなる循環装置本体から構成され、前記吸水柱及び循環装置本体の少なくとも一方に吸水手段を備えてなり、浴槽の上縁上又はその近傍に前記循環装置本体が配設されることにより使用される浴水循環装置において、
前記浴水が通水する浴水循環装置内の通水経路上に濾材を収容可能な濾材収容部を設けた浴水循環装置。
【請求項２】
浴水を吸水する吸水口が形成されている吸水柱及び該吸水柱を下部に備えてなり前記吸水口と通水路を介し連通される吐出口を設けてなる循環装置本体から構成され、前記吸水柱及び循環装置本体の少なくとも一方に吸水手段を備えてなり、浴槽の上縁上又はその近傍に前記循環装置本体が設置されることにより使用される浴水循環装置において、
前記浴水が通水する浴水循環装置内の通水経路上に入浴用組成物を充填可能な充填部を設けた浴水循環装置。
【請求項３】
前記濾材収容部は、前記濾材を外部から目視可能に収容し得る請求項１に記載の浴水循環装置。
【請求項４】
前記濾材収容部は、前記循環装置本体から着脱可能な収容体から構成されている請求項１又は請求項３に記載の浴水循環装置。
【請求項５】
前記吸水口にはフィルタを着脱可能に取着した請求項１又は請求項２に記載の浴水循環装置。
【請求項６】
前記循環装置本体には、前記濾材の取り替え又は洗浄時期を知らせる報知手段を備えてなる請求項１に記載の浴水循環装置。
【請求項７】
前記吸水手段はモータから構成され、該モータの回転数又はモータの稼働時間を記録する記録手段を有してなり、前記回転数又は稼動時間が予め設定された値以上になると報知手段に電気信号を出力する制御手段を備えてなる請求項６に記載の浴水循環装置。
【請求項８】
前記吸水口から吸水される浴水量を記録する記録手段を有するとともに、前記浴水量が予め設定された値以上になると報知手段に電気信号を出力する制御手段を備えてなる請求項６に記載の浴水循環装置。
【請求項９】
前記記録手段は記録された値がリセット手段によりリセットされるよう構成されている請求項７又は請求項８に記載の浴水循環装置。
【請求項１０】
前記吸水手段はモータから構成され、該モータにかかる負荷を検出する負荷検出手段をさらに備えてなり、該負荷検出手段により検出された検出値が予め設定された値以下になると前記モータが停止するよう構成されている請求項１又は請求項２に記載の浴水循環装置。
【発明の詳細な説明】
【技術分野】
【０００１】
本発明は、浴水循環装置に係り、詳しくは浴槽に配置され、浴水を循環する装置に関する。
【背景技術】
【０００２】
従来より、浴槽中の浴水を循環する装置として、特許文献１に記載される浴水循環装置が知られている。かかる浴水循環装置は、浴水を吸水する吸水管及び該吸水管に連通する吐出口を備えてなる循環装置本体から構成されている。吸水管の下端部には吸水用モータを内蔵するとともに吸水口を備えてなる吸水装置が取り付けられている。浴水は吸水装置の吸水口から吸水され、吸水管を介して循環装置本体の吐出口から吐出される。浴水は吸水装置の吸水口に装着されたフィルタにより毛髪、フケ等の不純物が濾し取られることにより浄化される。
【特許文献１】実用新案登録第３０７９７００号公報
【発明の開示】
【発明が解決しようとする課題】
【０００３】
ところが、上記のように構成された浴水循環装置は、循環される浴水に対し毛髪、フケ等の不純物が濾し取り除去されるという効果しか付与することができなかった。そのため、さらに循環する浴水に対し効能を付与する効果を高めた浴水循環装置が求められていた。
【０００４】
本発明は、従来技術の上記問題を解決するためになされたもので、その目的は、循環する浴水に対し効能を付与する効果を高めた浴水循環装置を提供することにある。
【課題を解決するための手段】
【０００５】
上記目的を達成するために、請求項１に記載の発明は、浴水を吸水する吸水口が形成されている吸水柱及び該吸水柱を下部に備えてなり前記吸水口と通水路を介し連通される吐出口を設けてなる循環装置本体から構成され、前記吸水柱及び循環装置本体の少なくとも一方に吸水手段を備えてなり、浴槽の上縁上又はその近傍に前記循環装置本体が配設されることにより使用される浴水循環装置において、前記浴水が通水する浴水循環装置内の通水経路上に濾材を収容可能な濾材収容部を設けたことを要旨とした。
【０００６】
請求項２に記載される発明は、浴水を吸水する吸水口が形成されている吸水柱及び該吸水柱を下部に備えてなり前記吸水口と通水路を介し連通される吐出口を設けてなる循環装置本体から構成され、前記吸水柱及び循環装置本体の少なくとも一方に吸水手段を備えてなり、浴槽の上縁上又はその近傍に前記循環装置本体が設置されることにより使用される浴水循環装置において、前記浴水が通水する浴水循環装置内の通水経路上に入浴用組成物を充填可能な充填部を設けたことを要旨とした。
【０００７】
請求項３に記載される発明は、請求項１に記載の発明において、前記濾材収容部は、前記濾材を外部から目視可能に収容し得ることを要旨とした。
請求項４に記載される発明は、請求項１又は請求項３に記載の発明において、前記濾材収容部は、前記循環装置本体から着脱可能な収容体から構成されていることを要旨とした。
【０００８】
請求項５に記載される発明は、請求項１又は請求項２に記載の発明において、前記吸水口にはフィルタを着脱可能に取着したことを要旨とした。
請求項６に記載される発明は、請求項１に記載の発明において、前記循環装置本体には、前記濾材の取り替え又は洗浄時期を知らせる報知手段を備えてなることを要旨とした。
【０００９】
請求項７に記載される発明は、請求項６に記載の発明において、前記吸水手段はモータから構成され、該モータの回転数又はモータの稼働時間を記録する記録手段を有してなり、前記回転数又は稼動時間が予め設定された値以上になると報知手段に電気信号を出力する制御手段を備えてなることを要旨とした。
【００１０】
請求項８に記載される発明は、請求項６に記載の発明において、前記吸水口から吸水される浴水量を記録する記録手段を有するとともに、前記浴水量が予め設定された値以上になると報知手段に電気信号を出力する制御手段を備えてなることを要旨とした。
【００１１】
請求項９に記載される発明は、請求項７又は請求項８に記載の発明において、前記記録手段は記録された値がリセット手段によりリセットされるよう構成したことを要旨とした。
【００１２】
請求項１０に記載される発明は、請求項１又は請求項２に記載の発明において、前記吸水手段はモータから構成され、該モータにかかる負荷を検出する負荷検出手段をさらに備えてなり、該負荷検出手段により検出された検出値が予め設定された値以下になると前記モータが停止するよう構成したことを要旨とした。
【発明の効果】
【００１３】
本発明によれば、循環する浴水に対し効能を付与する効果を高めた浴水循環装置を提供することができる。
【発明を実施するための最良の形態】
【００１４】
以下、本発明を浴水循環装置に具体化した一実施形態を図１〜図１１にしたがって説明する。
図１〜１０に示されるように、浴水循環装置１１は浴水を吐出する浴水吐出口１２ａを備えてなる循環装置本体１２及び浴水を吸水する浴水吸水口１３ａを備えてなる吸上柱１３により構成されている。吸上柱１３は浴水を吸い上げる吸水手段としての吸上モータ１４を備えてなる。浴水循環装置１１は、吸上柱１３が循環装置本体１２の底面前部に取り付けられるとともに循環装置本体１２の左右方向の中央部から下方に延出されることにより、正面からの形状が略Ｔ字状に構成されている。
【００１５】
循環装置本体１２は、合成樹脂により底面及び上面を有する筒状に成型され、軸方向に対する垂直断面が略楕円形状である。循環装置本体１２の前面中央部には浴水吐出口１２ａが形成されている。その浴水吐出口１２ａは循環装置本体１２の左右方向に切り込まれ、前方に突出される唇部１２ｂにより囲まれている。唇部１２ｂは表面が光触媒で被覆加工されている。循環装置本体１２の上面には左右方向の前方中央部において略四角形状の中央開口部１２ｃ及び右側に円形の右側開口部１２ｄが形成されている。中央開口部１２ｃには後方の左右隅を軸として回動によって開閉可能に構成されている蓋体１５が取り付けられている。右側開口部１２ｄは循環装置本体１２から着脱可能な蓋片１６が取り付けられている。
【００１６】
循環装置本体１２の背面上部には充電用電池装着部１２ｅが設けられ、該充電用電池装着部１２ｅには略長方形状の充電用電池１７が循環装置本体１２から着脱可能に取り付けられている。循環装置本体１２の底部中央には吸上柱１３から浴水を導入するための吸水口１２ｆ及び底部（下部）後方には循環装置本体１２を浴槽の上縁上に配置させるための配設手段としての第１吸盤１８が取り付けられている。図５，６に示されるように第１吸盤１８は循環装置本体１２の底面後方端部からさらに後方に延出される支持板１２ｇ及び該支持板１２ｇに対して前後方向にスライド移動可能に支持される板状可動部材１９を介し循環装置本体１２に取り付けられている。第１吸盤１８は板状可動部材１９の下面において吸面１８ａを下方に向けた状態で板状可動部材１９の左右端部にそれぞれ一つずつ取り付けられている。
【００１７】
循環装置本体１２の内部には、前方に濾材収容部１２ｈ、該濾材収容部１２ｈの後方に超音波ミスト発生器２０を備えてなるマイナスイオン発生部１２ｉ、正面右側に入浴用組成物を充填する充填部１２ｊ、正面左側に浴水循環装置１１の稼動を制御するための制御部２２が設けられている。
【００１８】
濾材収容部１２ｈは循環装置本体１２の前面内側に設けられ、浴水吐出口１２ａ、循環装置本体１２の中央開口部１２ｃ及び吸水口１２ｆと連通されている。循環装置本体１２の前面のうち浴水吐出口１２ａの上部且つ濾材収容部１２ｈと対向する部分は透明又は半透明板からなる透光部１２ｋが設けられている。濾材収容部１２ｈの後面上部にはマイナスイオン発生部１２ｉと連通されるマイナスイオン放出口１２ｌが設けられている。ところで、マイナスイオンは、活性イオンとも呼ばれ、老化やストレスの原因とされるプラスイオンを除去し、新陳代謝を活発にすることによって健康を保つことができると考えられている。マイナスイオンは、自然界においてトルマリン等の特定の原石又は水分がぶつかり合う滝等において発生することが知られている。
【００１９】
濾材収容部１２ｈの右側上部には切欠部１２ｍが形成されている。その切欠部１２ｍを介し濾材収容部１２ｈは充填部１２ｊ及びマイナスイオン発生部１２ｉとに通ずる通水部１２ｎと連通される。濾材収容部１２ｈには濾材を収容する収容体としての収容ケース２１が循環装置本体１２の中央開口部１２ｃから着脱可能に収められている。ここでの濾材は、例えば微量放射能を放出するラジウム原石、マイナスイオンを溶出するマイナスイオンセラミック、ミネラル分を溶出する化石サンゴや浴水中の塩素、重金属等の不純物を吸着する活性炭、ゼオライト等が使用され得る。収容ケース２１は図８に示されるように透明又は半透明の合成樹脂により、底面及び四方側面からなる箱状に成型されるとともに、該四方側面には略中央部から下方にかけて複数のスリット２１ａが等間隔で形成されている。収容ケース２１の上部には前面中央部と後面中央部を回動軸としてＵ字状の把持部２１ｂが取り付けられている。収容ケース２１は透光部１２ｋ及び収容ケース２１の前面を介して濾材を循環装置本体１２の外部から目視可能に収容する。さらに循環装置本体１２の上部に取り付けられている蓋体１５を開状態にした場合において、収容ケース２１は循環装置本体１２の中央開口部１２ｃを介し濾材を循環装置本体１２の外部から目視可能に収容する。特に、石状又は岩状の濾材を使用した場合に浴水に付与される直接的な効能のみならず、視覚的な温泉気分等の癒し効果、リラクゼーション効果を得ることができる。
【００２０】
充填部１２ｊは、筒状に成型されるとともに、上端部は循環装置本体１２の右側開口部１２ｄと連通されている。入浴用組成物は右側開口部１２ｄから充填部１２ｊ内に導入される。ここでの入浴用組成物は、芳香成分、着色成分、炭酸ガス等の発泡成分、殺菌成分、生薬等の薬用成分等を含有する組成物が使用され得る。充填部１２ｊの周面には通水部１２ｎと連通される複数の通水口１２ｐが設けられている。
【００２１】
マイナスイオン発生部１２ｉは濾材収容部１２ｈの後方に設けられ、右側面に切欠部１２ｑが形成されている。その切欠部１２ｑを介しマイナスイオン発生部１２ｉは通水部１２ｎと連通されている。マイナスイオン発生部１２ｉの底面にはマイナスイオンミストを人工的に発生させる超音波ミスト発生器２０が配設されている。マイナスイオン発生部１２ｉには一定量以上の浴水を排出するための排水管２３が垂直に取り付けられている。排水管２３の下端開口部は吸上柱１３内に連通されている。マイナスイオン発生部１２ｉ内に浸入した浴水は一定量になると排水管２３の上端開口部２３ａから吸上柱１３内へと排出される。
【００２２】
制御部２２は、図示しない制御装置及び該制御装置を介して浴水循環装置１１を操作するための操作盤２２ａから構成されている。制御装置は、制御手段、吸上モータの稼動時間を記録する記録手段、及び吸上モータの負荷を検出する負荷検出手段から構成され、充電用電池１７、吸上モータ１４及び超音波ミスト発生器２０と連結されている。制御手段は記録手段、負荷検出手段及び操作盤２２ａに対し電気信号を入出力可能に構成されている。記録手段は吸上モータ１４の累積稼動時間をゼロからカウントするとともに累積稼動時間を制御手段に出力するよう構成されている。負荷検出手段は吸上モータ１４にかかる負荷を電圧により検出し、その検出値を制御手段に出力するよう構成されている。操作盤２２ａは吸上モータ１４用のＯＮ／ＯＦＦスイッチ２２ｂ、超音波ミスト発生器２０用のＯＮ／ＯＦＦスイッチ２２ｃ、記録手段用リセットボタン２２ｄ、濾材取替（又は洗浄）報知手段としての濾材用発光ダイオード２２ｅ、及び充電時期報知手段としての電池用発光ダイオード２２ｆが取り付けられている。記録手段用リセットボタン２２ｄを押すことにより、記録手段により記録された吸上モータ１４の累積稼動時間がゼロにリセットされる。超音波ミスト発生器２０は超音波ミスト発生器２０が浴水に満たされずに作動することを防止するため吸上モータ用のＯＮ／ＯＦＦスイッチ２２ｂがオフのときはオン操作できないように構成されている。
【００２３】
図９に示されるように、吸上柱１３は合成樹脂により筒状に成型され、下端面に浴水吸水口１３ａが設けられている。吸上柱１３の後方中央部には配設手段としての第２吸盤２４が吸面２４ａを後方に向けるように取り付けられている。吸上柱１３の内部に吸上モータ収容部２５が設けられている。浴水吸水口１３ａには毛髪、フケ等の不純物を取り除くための網状のフィルタ２６が取り付けられている。フィルタ２６は底面に通水孔１３ｃを有する筒状のフィルタ支持体１３ｂにより支持されている。フィルタ支持体１３ｂは吸上柱１３の下端部に螺着されている。
【００２４】
吸上モータ収容部２５は吸上柱１３の内周面に接するように卵型に成型され、下端部に浴水吸上口２５ａが形成されている。吸上モータ収容部２５の前上部には吐出パイプ２５ｂが一体形成されている。吐出パイプ２５ｂの上端部には吐出口２５ｃが設けられ、下端部の浴水吸上口２５ａと通水路２５ｄを介し連通されている。吸上モータ収容部２５の略中心部には回転軸を垂直方向にして吸上モータ１４が収容されている。その回転軸の下端部において浴水吸上口２５ａを閉口するように且つ浴水吸上口２５ａと吐出口２５ｃを繋ぐ通水路２５ｄ上において羽根車１４ａが取り付けられている。吐出口２５ｃは循環装置本体１２の吸水口１２ｆと通水路としての役目を有する連結パイプ２７を介し連結されている。
【００２５】
次に、本実施形態の浴水循環装置１１の作用を説明する。
まず、収容ケース２１に濾材２９を収容し、収容ケース２１を中央開口部１２ｃより濾材収容部１２ｈに装着する。右側開口部１２ｄより入浴用組成物を充填部１２ｊに適量充填する。浴水循環装置１１は図１１に示されるように循環装置本体１２が浴槽上縁上２８ａの角部（隅部）及び吸上柱１３が浴槽内の角部（隅部）にそれぞれ配設されることにより浴槽２８に設置される。循環装置本体１２の第１吸盤１８が浴槽上縁上２８ａ面及び吸上柱１３の第２吸盤２４が浴槽２８内の壁面に吸い付くことにより浴水循環装置１１は浴槽２８に固定される。このとき、図６に示されるように循環装置本体１２の第１吸盤１８が取り付けられている板状可動部材１９を支持板１２ｇに対し前後方向に相対移動させることにより第１吸盤１８の吸面１８ａが浴槽上縁上２８ａ面に位置するよう調節する。
【００２６】
吸上柱１３の浴水吸水口１３ａが浴水（浴湯）に満たされた状態で吸上モータ用のＯＮ／ＯＦＦスイッチ２２ｂをオン操作することにより、吸上モータ１４を稼動させる。そして羽根車１４ａの回転力により浴水が浴水吸上口２５ａ内に吸い上げられる。
【００２７】
浴水はフィルタ２６で毛髪等が濾過されながら吸上モータ収容部２５の浴水吸上口２５ａ、通水路２５ｄ及び吐出口２５ｃを順次通過し、連結パイプ２７を介して循環装置本体１２の吸水口１２ｆより循環装置本体１２内に導入される。循環装置本体１２内に導入された浴水は直接濾材収容部１２ｈ内に導入される。濾材収容部１２ｈ内に導入された浴水は収容ケース２１のスリット２１ａから収容ケース２１内に導入され、濾材２９成分の溶出が行なわれた後、浴水吐出口１２ａの唇部１２ｂから滝のように吐出されて浴槽２８内に戻される。浴水吐出口１２ａから吐出される浴水は吸上モータ１４により吸い上げられる浴水よりも少なく設定されている。そのため、循環装置本体１２の吸水口１２ｆから濾材収容部１２ｈ内に導入される浴水の一部は切欠部１２ｍより通水部１２ｎへ流入する。通水部１２ｎに流入した浴水は充填部１２ｊの通水口１２ｐから充填部１２ｊ内に導入される。充填部１２ｊ内に導入された浴水は入浴用組成物を溶解した後、通水口１２ｐより通水部１２ｎへ拡散しながらマイナスイオン発生部１２ｉの切欠部１２ｑよりマイナスイオン発生部１２ｉ内に浸入される。マイナスイオン発生部１２ｉ内において浴水の上面が排水管２３の上端部の高さに至ると浴水は排水管２３の上端開口部２３ａより吸上柱１３内に排水される。吸上柱１３内に排出された浴水は再度浴水吸上口２５ａ内から吸水・循環される。浴槽２８内の浴水は浴水循環装置１１内を上述の通水経路を通水されながら循環される。
【００２８】
次に蓋体１５を開状態にするとともに吸上モータ用のＯＮ／ＯＦＦスイッチ２２ｂをオンにした状態で、超音波ミスト発生器用のＯＮ／ＯＦＦスイッチ２２ｃをオン操作する。すると、超音波ミスト発生器２０が動作し、霧状（ミスト状）のマイナスイオンがマイナスイオン放出口１２ｌより浴室内に放出される。
【００２９】
濾材用発光ダイオード２２ｅは吸上モータ用のＯＮ／ＯＦＦスイッチ２２ｂをオンにした状態で濾材２９の取り替え時期になると発光される。つまり、記録手段が吸上モータ１４の稼動時間をゼロからカウントするとともに、累積稼動時間を制御手段に出力する。そして、累積稼動時間が制御手段に予め設定されている数値以上になると制御手段は濾材用発光ダイオード２２ｅに電気信号を出力し、濾材用発光ダイオード２２ｅは発光される。その場合、使用者は濾材収容部１２ｈから把持部２１ｂを利用して収容ケース２１を取り出し、収容ケース２１内の濾材２９を洗浄又は取り替える。濾材２９が再充填された収容ケース２１は濾材収容部１２ｈに再装着される。その際、記録手段用リセットボタン２２ｄを押すことにより記録手段に記録されている吸上モータ１４の累積稼動時間数はゼロにリセットされるとともに濾材用発光ダイオード２２ｅは消光される。
【００３０】
負荷検出手段は吸上モータ用のＯＮ／ＯＦＦスイッチ２２ｂがオンの状態において吸上モータ１４の負荷を電圧により検出しながら、制御手段に該検出値を出力する。例えば、浴水の上面が浴水吸水口１３ａの位置を下回り吸上モータ１４にかかる負荷が低下することにより検出値が制御手段に予め設定されている値以下になると、制御手段は吸上モータ１４を停止させる。
【００３１】
充電用電池１７の出力が、制御手段に予め設定されている値以下になると電池用発光ダイオード２２ｆが発光される。その場合、充電用電池１７は循環装置本体１２が浴槽上縁上２８ａに配設された状態で充電用電池装着部１２ｅから取り外され、図示しない充電装置により充電される。再充電された充電用電池１７が充電用電池装着部１２ｅに取り付けられると電池用発光ダイオード２２ｆは消光される。また、フィルタ２６を交換・洗浄する場合においても、循環装置本体１２が浴槽上縁上２８ａに配設された状態でフィルタ支持体１３ｂを吸上柱１３から取り外し、フィルタ２６を交換・洗浄する。
【００３２】
本実施形態の浴水循環装置１１によれば、以下のような効果を得ることができる。
（１）本実施形態では、循環装置本体１２の内部に浴水が通水する通水経路上に濾材２９を収容する濾材収容部１２ｈを設けた。したがって、浴水循環装置１１内を循環する浴水に対し効能を付与する効果を高めることができる。
【００３３】
（２）本実施形態では、循環装置本体１２の内部に浴水が通水する通水経路上に入浴用組成物を充填する充填部１２ｊを設けた。したがって、浴水循環装置１１内を循環する浴水に対し効能を付与する効果を高めることができる。特に、芳香成分を含有する入浴用組成物を使用した場合に、嗅覚的な癒し効果、リラクゼーション効果を得ることができる。
【００３４】
（３）本実施形態では、濾材を収容する収容ケース２１を透明又は半透明の合成樹脂により成型するとともに、循環装置本体１２の濾材収容部１２ｈと対向する部分に透明又は半透明板からなる透光部１２ｋを設けた。また、循環装置本体１２の上部に取り付けられている蓋体１５を開状態にした場合において、収容ケース２１は循環装置本体１２の中央開口部１２ｃを介し濾材を循環装置本体１２の外部から目視可能に収容した。したがって、濾材の充填の可否を容易に判断することができる。また、例えば石状又は岩状の濾材を使用した場合に浴水に付与される直接的な効能のみならず、視覚的に得られる温泉気分等の癒し効果、リラクゼーション効果を得ることができる。
【００３５】
（４）本実施形態では、濾材を収容する収容ケース２１は循環装置本体１２から着脱可能に構成されている。したがって、濾材の循環装置本体１２からの取り出し及び配置が容易である。また、例えば上述したような微量放射能を放出するラジウム原石や浴水中の塩素、重金属等の不純物を吸着する活性炭等、使用目的に合わせさまざまな濾材を容易に交換することができる。
【００３６】
（５）本実施形態では、浴水吸水口１３ａに網状のフィルタ２６を取り付けた。したがって、フィルタ２６により浴水循環装置１１に浸入する浴水中の毛髪、フケ等の不純物を取り除くことができ浴水及び濾材の衛生状態を維持することができるとともに、それにより濾材による浴水への効能付与効果を維持することができる。
【００３７】
（６）本実施形態では、フィルタ２６は底面に通水孔１３ｃを有する筒状のフィルタ支持体１３ｂにより支持され、フィルタ支持体１３ｂは吸上柱１３の下端部に螺着されている。したがって、フィルタ２６を取り外す際に浴水循環装置１１を移動・分解等する必要がなく、常に浴水循環装置１１を安定状態に保つことができる。
【００３８】
（７）本実施形態では、濾材の取り替え又は洗浄時期を知らせる報知手段としての濾材用発光ダイオード２２ｅを設けた。したがって、使用者は濾材の取り替え又は洗浄時期を容易に知ることができるとともに、濾材による浴水への効能付与効果の低下を防止することができる。
【００３９】
（８）本実施形態では、吸上モータ１４の累積稼働時間を記録し、その記録値が予め設定された値以上になると濾材用発光ダイオードに電気信号を出力するよう構成した。したがって、濾材の取り替え又は洗浄時期と吸上モータ１４の累積稼働時間との相関を測定することにより、正確な濾材の取り替え又は洗浄時期を知ることができる。
【００４０】
（９）本実施形態では、記録手段が記録した値をリセット手段としての記録手段用リセットボタン２２ｄによりゼロにリセットされるよう構成した。したがって、新しい濾材の交換・洗浄に合わせ記録手段による記録を再開させることができる。
【００４１】
（１０）本実施形態では、吸上モータ１４にかかる負荷を検出する負荷検出手段により検出された検出値が制御手段に予め設定された値以下になると吸上モータ１４が停止するよう構成した。したがって、吸上モータ１４の空回りを防止することができるとともに、濾材による浴水への効能付与効果の低下を防止することができる。
【００４２】
（１１）例えば、ラジウム原石を濾材として使用し、芳香性入浴剤を使用した場合には、ラジウム原石からの直接的な効能のみならず、原石の視覚的効果、芳香性・着色性入浴剤による嗅覚的・視覚的効果、滝のように吐出する浴水の視覚的・聴覚的効果を得ることができる。また、それらの相乗効果により温泉気分等の癒し効果、リラクゼーション効果を高めることができる。
【００４３】
（１２）本実施形態では、浴槽上縁上２８ａに配設される循環装置本体１２内に濾材収容部１２ｈを設けた。したがって、浴水循環装置１１全体をコンパクトに構成することができ、容易に持ち運ぶことができるとともに使用時に浴槽内及び洗い場等が狭くなるおそれがない。また、配管工事等の特別な設置作業を行なう必要もない。
【００４４】
なお、上記実施形態は以下のように変更してもよい。
・上記実施形態では記録手段用リセットボタン２２ｄにより記録手段に記録されている検出値をゼロにリセットした。しかしながら、収容ケース２１が循環装置本体１２に装着された際、記録手段に記録されている値がゼロにリセットされるよう構成してもよい。
【００４５】
・上記実施形態では記録手段は吸上モータ１４の累積稼動時間を記録していた。しかしながら、記録手段は浴水吸上口２５ａから吸水される浴水量を記録するように構成し、制御手段は総浴水量が予め設定された値以上になると濾材用発光ダイオード２２ｅに電気信号を出力するよう構成してもよい。
【００４６】
・また、記録手段は吸上モータ１４の累積回転数を記録するように構成し、制御手段は累積回転数が予め設定された値以上になると濾材用発光ダイオード２２ｅに電気信号を出力するよう構成してもよい。また、タイマ手段を設け所定時間になると濾材用発光ダイオード２２ｅに電気信号を出力するよう構成してもよい。
【００４７】
・報知手段は、発光・変色等による視覚的な報知手段のみならず、ブザー等の音による報知手段でもよい。また、報知手段として記録手段により検出された値が表示手段により表示されるよう構成してもよい。
【００４８】
・フィルタ２６は網状のもの以外の例えば布状、紙状のものであってもよい。
・濾材を収容する収容ケース２１を設けず、濾材を濾材収容部１２ｈに直接充填してもよい。
【００４９】
・入浴用組成物は上述したように芳香成分、着色成分、炭酸ガス等の発泡成分、殺菌成分、生薬等の薬用成分等を含有する入浴剤等が使用され得る。特に、リラクゼーション効果を有する芳香剤、温泉成分を含有する入浴剤を使用することにより、温泉気分等の癒し効果、リラクゼーション効果を得ることができる。
【００５０】
・充填部１２ｊ上部の蓋片１６にスリットを設け、充填部１２ｊより直接浴室に芳香成分が拡散するよう構成してもよい。
・濾材は上述したように例えば微量放射能を放出するラジウム原石等の有効成分を放出することにより浴水に対し効能を付与するものや浴水中の塩素、重金属等の不純物を吸着する活性炭等の不要物を取り除くことにより浴水に対し効能を付与するもの等が使用され得る。
【００５１】
・浴水吸水口１３ａから浴水吐出口１２ａを連通させる通水路上のいずれかに紫外線照射部等の浴水殺菌手段を設けてもよい。かかる構成によれば、浴水を殺菌等することにより濾材の寿命を延ばすことができる。また、浴水に衛生的な効果を付与することができる。
【００５２】
・濾材や入浴用組成物の種類・量等により吸上モータ１４の回転数を調節可能に構成してもよい。
・吸上モータ１４にかかる負荷を検出する負荷検出手段により検出された検出値が制御手段に予め設定された値以上になるとフィルタ２６の洗浄又は交換用報知手段に電気信号を出力するよう構成してもよい。
【００５３】
・吸上モータ１４は循環装置本体１２に設けられてもよい。
次に、上記実施形態及び別例から把握できる技術的思想について、それらの効果とともに以下に追記する。
【００５４】
（ａ）前記循環装置本体から着脱可能な収容体には複数のスリットが形成されている浴水循環装置。したがって、この（ａ）に記載の発明によれば、濾材の効能の拡散作用を高めることができる。
【００５５】
（ｂ）前記充填部には入浴用組成物として芳香成分を含有する組成物が充填され、前記濾材収容部には石状又は岩状の濾材が収容される浴水循環装置。したがって、この（ｂ）の記載の発明によれば、視覚的効果と嗅覚的効果との相乗的効果により温泉気分等の癒し効果、リラクゼーション効果を高めることができる。
【図面の簡単な説明】
【００５６】
【図１】本実施形態における浴水循環装置の斜視図。
【図２】本実施形態における浴水循環装置の正面図。
【図３】本実施形態における浴水循環装置の背面図。
【図４】本実施形態における浴水循環装置の平面図。
【図５】本実施形態における浴水循環装置の底面図。
【図６】本実施形態における浴水循環装置の左側面図。
【図７】本実施形態における蓋体を開けた状態における浴水循環装置の斜視図。
【図８】本実施形態における浴水循環装置の分解斜視図。
【図９】本実施形態における浴水循環装置のＡ−Ａ断面図。
【図１０】本実施形態における浴水循環装置の循環装置本体の上面を取り除いた場合における平面図。
【図１１】本実施形態における浴水循環装置の使用状態を示す図。
【符号の説明】
【００５７】
１１…浴水循環装置、１２…循環装置本体、１２ａ…浴水吐出口、１２ｈ…濾材収容部、１２ｊ…充填部、１２ｋ…透光部、１３…吸上柱、１３ａ…浴水吸水口、１３ｂ…フィルタ支持体、１４…吸水手段としての吸上モータ、２２…制御部、２２ｄ…記録手段用リセットボタン、２２ｅ…報知手段としての濾材用発光ダイオード、２６…フィルタ、２８ａ…浴槽上縁上。
【図１】
2006087622.tif 000003
【図２】
2006087622.tif 000004
【図３】
2006087622.tif 000005
【図４】
2006087622.tif 000006
【図５】
2006087622.tif 000007
【図６】
2006087622.tif 000008
【図７】
2006087622.tif 000009
【図８】
2006087622.tif 000010
【図９】
2006087622.tif 000011
【図１０】
2006087622.tif 000012
【図１１】
2006087622.tif 000013
【手続補正書】
【提出日】平成16年11月22日(2004.11.22)
【手続補正１】
【補正対象書類名】特許請求の範囲
【補正対象項目名】全文
【補正方法】変更
【補正の内容】
【特許請求の範囲】
【請求項１】
吸い上げた浴水を浴槽へと吐出流下させる吐出口を備えた循環装置本体とその底部から下方に伸びる浴水吸上柱より構成し、前記循環装置本体又は浴水吸上柱の少なくとも一方にモータ駆動される吸水手段を備えてなる浴水循環装置において、
前記浴水が通水する浴水循環装置内の通水経路上に濾材を収容可能な濾材収容部を設けた浴水循環装置。
【請求項２】
吸い上げた浴水を浴槽へと吐出流下させる吐出口を備えた循環装置本体とその底部から下方に伸びる浴水吸上柱より構成し、前記循環装置本体又は浴水吸上柱の少なくとも一方にモータ駆動される吸水手段を備えてなる浴水循環装置において、
前記浴水が通水する浴水循環装置内の通水経路上に入浴用組成物を充填可能な充填部を設けた浴水循環装置。
【請求項３】
前記濾材収容部は、前記濾材を外部から目視可能に収容し得る請求項１に記載の浴水循環装置。
【請求項４】
前記濾材収容部は、前記循環装置本体から着脱可能な収容体から構成されている請求項１又は請求項３に記載の浴水循環装置。
【請求項５】
前記浴水吸上柱にはフィルタを着脱可能に取着した請求項１又は請求項２に記載の浴水循環装置。
【請求項６】
前記循環装置本体には、前記濾材の取り替え又は洗浄時期を知らせる報知手段を備えてなる請求項１に記載の浴水循環装置。
【請求項７】
前記モータの回転数又はモータの稼働時間を記録する記録手段を有してなり、前記回転数又は稼動時間が予め設定された値以上になると報知手段に電気信号を出力する制御手段を備えてなる請求項６に記載の浴水循環装置。
【請求項８】
前記浴水吸上柱から吸水される浴水量を記録する記録手段を有するとともに、前記浴水量が予め設定された値以上になると報知手段に電気信号を出力する制御手段を備えてなる請求項６に記載の浴水循環装置。
【請求項９】
前記記録手段は記録された値がリセット手段によりリセットされるよう構成されている請求項７又は請求項８に記載の浴水循環装置。
【請求項１０】
前記モータにかかる負荷を検出する負荷検出手段をさらに備えてなり、該負荷検出手段により検出された検出値が予め設定された値以下になると前記モータが停止するよう構成されている請求項１又は請求項２に記載の浴水循環装置。
【手続補正２】
【補正対象書類名】明細書
【補正対象項目名】０００５
【補正方法】変更
【補正の内容】
【０００５】
上記目的を達成するために、請求項１に記載の発明は、吸い上げた浴水を浴槽へと吐出流下させる吐出口を備えた循環装置本体とその底部から下方に伸びる浴水吸上柱より構成し、前記循環装置本体又は浴水吸上柱の少なくとも一方にモータ駆動される吸水手段を備えてなる浴水循環装置において、前記浴水が通水する浴水循環装置内の通水経路上に濾材を収容可能な濾材収容部を設けたことを要旨とした。
【手続補正３】
【補正対象書類名】明細書
【補正対象項目名】０００６
【補正方法】変更
【補正の内容】
【０００６】
請求項２に記載される発明は、吸い上げた浴水を浴槽へと吐出流下させる吐出口を備えた循環装置本体とその底部から下方に伸びる浴水吸上柱より構成し、前記循環装置本体又は浴水吸上柱の少なくとも一方にモータ駆動される吸水手段を備えてなる浴水循環装置において、前記浴水が通水する浴水循環装置内の通水経路上に入浴用組成物を充填可能な充填部を設けたことを要旨とした。
【手続補正４】
【補正対象書類名】明細書
【補正対象項目名】０００８
【補正方法】変更
【補正の内容】
【０００８】
請求項５に記載される発明は、請求項１又は請求項２に記載の発明において、前記浴水吸上柱にはフィルタを着脱可能に取着したことを要旨とした。
請求項６に記載される発明は、請求項１に記載の発明において、前記循環装置本体には、前記濾材の取り替え又は洗浄時期を知らせる報知手段を備えてなることを要旨とした。
【手続補正５】
【補正対象書類名】明細書
【補正対象項目名】０００９
【補正方法】変更
【補正の内容】
【０００９】
請求項７に記載される発明は、請求項６に記載の発明において、前記モータの回転数又はモータの稼働時間を記録する記録手段を有してなり、前記回転数又は稼動時間が予め設定された値以上になると報知手段に電気信号を出力する制御手段を備えてなることを要旨とした。
【手続補正６】
【補正対象書類名】明細書
【補正対象項目名】００１０
【補正方法】変更
【補正の内容】
【００１０】
請求項８に記載される発明は、請求項６に記載の発明において、前記浴水吸上柱から吸水される浴水量を記録する記録手段を有するとともに、前記浴水量が予め設定された値以上になると報知手段に電気信号を出力する制御手段を備えてなることを要旨とした。
【手続補正７】
【補正対象書類名】明細書
【補正対象項目名】００１２
【補正方法】変更
【補正の内容】
【００１２】
請求項１０に記載される発明は、請求項１又は請求項２に記載の発明において、前記モータにかかる負荷を検出する負荷検出手段をさらに備えてなり、該負荷検出手段により検出された検出値が予め設定された値以下になると前記モータが停止するよう構成したことを要旨とした。